(57)【特許請求の範囲】
【請求項１】
発色状態における極大吸収波長が異なる２種類以上のフォトクロミック化合物を含む感光層が支持基板上に形成されてなる可逆記録媒体に対して、
少なくとも、紫外光を照射することにより感光層に含有される全種類のフォトクロミック化合物を発色させる工程と、発色した各々のフォトクロミック化合物の極大吸収波長に対応した波長域の可視光をそれぞれ予め定めた領域に照射することにより各フォトクロミック化合物を選択的に消色する工程と、を施すことを用いて画像を形成する画像形成装置であって、
発光波長帯に紫外波長域を含んだ白色光源と、紫外波長域ならびに発色した各々のフォトクロミック化合物の極大吸収波長に対応した波長域ごとに白色光源を分光する分光工程と、分光された紫外波長域を可逆記録媒体上に投影する投影工程と、分光された各波長域ごとに設けられ、分光された各波長域の光を画像データに応じて各画素ごとに変調させる光変調工程と、光変調工程により変調された各波長域の光を合成し可逆記録媒体上に投影する投影工程と、を備えることを特徴とする画像形成装置。
【請求項２】
発色状態における極大吸収波長が異なる２種類以上のフォトクロミック化合物を含む感光層が支持基板上に形成されてなる可逆記録媒体に対して、
少なくとも、紫外光を照射することにより感光層に含有される全種類のフォトクロミック化合物を発色させる工程と、発色した各々のフォトクロミック化合物の極大吸収波長に対応した波長域の可視光をそれぞれ予め定めた領域に照射することにより各フォトクロミック化合物を選択的に消色する工程と、を施すことを用いて画像を形成する画像形成装置であって、
発光波長帯に紫外波長域を含んだ白色光源と、紫外波長域ならびに発色した各々のフォトクロミック化合物の極大吸収波長に対応した波長域ごとに白色光源を分光する分光工程と、分光された紫外線波長域を可逆記録媒体上に投影する投影工程と、分光された各波長域の光を画像データに応じて各画素ごとに順次変調させる光変調工程と、光変調工程により変調された各波長域の光を可逆記録媒体上に順次投影する投影工程と、を備えることを特徴とする画像形成装置。
【請求項３】
画像データに応じて投影する面積を制御する機能を備えることを特徴とする請求項１または２に記載の画像形成装置。
【請求項４】
可逆記録媒体の表面面積に応じて投影する面積を制御する機能を備えることを特徴とする請求項１ないし３のいずれかに記載の画像形成装置。
【請求項５】
光変調工程が、画像データに応じて光源からの光の透過量を制御する液晶パネルであることを特徴とする請求項１ないし４のいずれかに記載の画像形成装置。
【請求項６】
光変調工程が、画像データに応じて光源からの光の反射方向を制御する複数のマイクロミラーを有するデジタル・マイクロミラー・デバイスであることを特徴とする請求項１ないし４のいずれかに記載の画像形成装置。
【請求項７】
感光層内の全種類のフォトクロミック化合物を消色状態にするための光源を備えることを特徴とする請求項１ないし６のいずれかに記載の画像形成装置。
【発明の詳細な説明】
【０００１】
【発明の属する技術分野】
本発明は、画像形成装置に関し、詳しくは、光照射により書込み及び消去の繰返しが可能な可逆記録媒体に画像を形成するための画像形成装置に関する。
【０００２】
【従来の技術】
光照射により可逆的な色変化を起こすフォトクロミック化合物を用いたカラー可逆記録媒体に関する研究は以前からいくつかなされているが、フルカラー画像を何回も可逆表示できる実用的な画像形成装置を提案した例はいまだにない。
例えば、特開平５−２７１６４９号公報では、２５４ｎｍの紫外光照射で黄橙色、３１３ｎｍの紫外光照射で赤色、３６５ｎｍの紫外光照射で青紫色に発色するフォトクロミック性ジアリールエテン化合物を３種類混合して、それぞれに対応する紫外光を照射する技術が提案されている。
フルカラー画像を形成するためには３原色（青色、緑色、赤色、または、イエロー、マゼンタ、シアン）を発色する少なくとも３種類のフォトクロミック化合物を光で制御しなければならないが、上記の方法では異なる３種類の紫外光を吸収してさらに３原色を発色するフォトクロミック化合物を集めなければならない。ほとんどのフォトクロミック化合物は少なくとも３００ｎｍ以下には吸収波長帯が存在し、また、実用化するためには発色特性だけではなく、繰り返し耐久性、熱・湿安定性等も考慮しなければならず、これらの全てを満たす材料を開発するのは大変困難である。
【０００３】
特開平７−１９９４０１号公報では、発色状態でイエロー、マゼンタ、シアンを示す３種類のフォトクロミック性フルギド化合物の混合体に対して、３６６ｎｍの紫外ランプで全種類のフォトクロミック化合物を発色させた後に、発色した各々のフォトクロミック化合物の極大吸収波長に対応した波長域の可視光を照射して選択的に消色する技術が提案されている。しかしながら、上記技術では色調の制御が容易でなく、画像形成装置への実用化は難しい。
【０００４】
【発明が解決しようとする課題】
上記問題点に鑑み、本発明は、既存のプロジェクターを利用した、カラー可逆記録を行う画像形成装置を提供することを課題とする。
【０００５】
【課題を解決するための手段】
上記課題を解決するために、本発明は以下の特徴を有する。
【０００６】
請求項１に記載の本発明は、発色状態における極大吸収波長が異なる２種類以上のフォトクロミック化合物を含む感光層が支持基板上に形成されてなる可逆記録媒体に対して、少なくとも、紫外光を照射することにより感光層に含有される全種類のフォトクロミック化合物を発色させる工程と、発色した各々のフォトクロミック化合物の極大吸収波長に対応した波長域の可視光をそれぞれ予め定めた領域に照射することにより各フォトクロミック化合物を選択的に消色する工程と、を施すことを用いて画像を形成する画像形成装置であって、発光波長帯に紫外波長域を含んだ白色光源と、紫外波長域ならびに発色した各々のフォトクロミック化合物の極大吸収波長に対応した波長域ごとに白色光源を分光する分光工程と、分光された紫外波長域を可逆記録媒体上に投影する投影工程と、分光された各波長域ごとに設けられ、分光された各波長域の光を画像データに応じて各画素ごとに変調させる光変調工程と、光変調工程により変調された各波長域の光を合成し可逆記録媒体上に投影する投影工程と、を備えることを特徴とする画像形成装置とする。請求項２に記載の本発明は、発色状態における極大吸収波長が異なる２種類以上のフォトクロミック化合物を含む感光層が支持基板上に形成されてなる可逆記録媒体に対して、少なくとも、紫外光を照射することにより感光層に含有される全種類のフォトクロミック化合物を発色させる工程と、発色した各々のフォトクロミック化合物の極大吸収波長に対応した波長域の可視光をそれぞれ予め定めた領域に照射することにより各フォトクロミック化合物を選択的に消色する工程と、を施すことを用いて画像を形成する画像形成装置であって、発光波長帯に紫外波長域を含んだ白色光源と、紫外波長域ならびに発色した各々のフォトクロミック化合物の極大吸収波長に対応した波長域ごとに白色光源を分光する分光工程と、分光された紫外線波長域を可逆記録媒体上に投影する投影工程と、分光された各波長域の光を画像データに応じて各画素ごとに順次変調させる光変調工程と、光変調工程により変調された各波長域の光を可逆記録媒体上に順次投影する投影工程と、を備えることを特徴とする画像形成装置とする。
【０００７】
請求項３に記載の本発明は、画像データに応じて投影する面積を制御する機能を備えることを特徴とする請求項１または２に記載の画像形成装置とする。請求項４に記載の本発明は、可逆記録媒体の表面面積に応じて投影する面積を制御する機能を備えることを特徴とする請求項１ないし３のいずれかに記載の画像形成装置とする。請求項５に記載の本発明は、光変調工程が、画像データに応じて光源からの光の透過量を制御する液晶パネルであることを特徴とする請求項１ないし４のいずれかに記載の画像形成装置とする。請求項６に記載の本発明は、光変調工程が、画像データに応じて光源からの光の反射方向を制御する複数のマイクロミラーを有するデジタル・マイクロミラー・デバイスであることを特徴とする請求項１ないし４のいずれかに記載の画像形成装置とする。請求項７に記載の本発明は、感光層内の全種類のフォトクロミック化合物を消色状態にするための光源を備えることを特徴とする請求項１ないし６のいずれかに記載の画像形成装置とする。
【０００８】
【発明の実施の形態】
以下より、本発明の実施の形態について図に基づき説明する。
本発明の画像形成装置の特徴は、支持基板上にフォトクロミック化合物を含む感光層を形成した可逆記録媒体に対して、既存のプロジェクターと同様な方法、すなわち小型の光変調素子で変調した光を拡大して照射することにより画像を形成することである。本発明の画像形成装置による画像形成方法の例を図１に示す。
図１に示す可逆記録媒体は、支持基板１０１と、発色状態における極大吸収波長が約４００〜５００ｎｍにあるフォトクロミック化合物を含有する第１感光層１０２と、発色状態における極大吸収波長が約５００〜６００ｎｍにあるフォトクロミック化合物を含有する第２感光層１０３と、発色状態における極大吸収波長が約６００〜７００ｎｍにあるフォトクロミック化合物を含有する第３感光層１０４とから構成されている。これらのフォトクロミック化合物は、発色状態でそれぞれイエロー色、マゼンタ色、シアン色を示す。
【０００９】
画像形成方法としては、はじめに、紫外光照射工程により可逆記録媒体全面に紫外光を照射することで全種類の感光層１０１、１０２、１０３を全面に発色させる。次に、プロジェクター部１０５から青色光（Ｂ、波長４５０ｎｍ程度）、緑色光（Ｇ、波長５５０ｎｍ程度）、赤色光（Ｒ、波長６５０ｎｍ程度）をそれぞれの画像信号に応じて可逆記録媒体の表面に照射する。このとき、青色光が照射された部分ではイエローを発色しているフォトクロミック化合物のみが消色反応を示す。同様に緑色光が照射された部分ではマゼンタを発色しているフォトクロミック化合物のみが、赤色光が照射された部分ではシアンを発色しているフォトクロミック化合物のみが消色反応を示す。従って、可逆記録媒体に記録させたい色以外の色を消色させるようにプロジェクター部１０５の光変調素子を制御し、画像を形成する。なお、図１の例ではイエロー、マゼンタ、シアンによるフルカラー画像形成方法を示したが、これに限らず、任意のフォトクロミック化合物、およびフォトクロミック化合物の吸収波長に対応した波長の光を照射するプロジェクター部を用いることで２色以上の画像を記録することができる。
【００１０】
プロジェクター部の構成例を図２から図４に示す。既存のプロジェクターと全く同様のもので構わないが、投射サイズが可逆記録媒体の大きさ（Ａ６〜Ａ３程度）と小さいので、投射レンズなどを最適化することが望ましい。図２は、プロジェクター部に、光変調工程として透過型の液晶パネル２０７を３枚用いた例である。光源２０１から照射された光は光インテグレーター２０２で均一化され、偏光素子２０３により偏光となる。この偏光は分光工程としてのダイクロイックミラー２０５で青色光（Ｂ）、緑色光（Ｇ）、赤色光（Ｒ）に分光された後、それぞれコンデンサレンズ２０６を介して液晶パネル２０７に入射され変調される。各々の液晶パネルで変調された光はクロスダイクロイックプリズム２０８で合成され、投射レンズ２０９によって可逆記録媒体上に拡大投影される。ここで光源２０１は、ハロゲンランプ、メタルハライドランプなどの放電ランプとリフレクタ、レンズ等から構成される。図２の本構成例では透過型の液晶パネルを用いたが、反射型の液晶パネルを用いても同様に光照射することができる。図２の構成例の場合、Ｒ、Ｇ、Ｂの光を同時に照射するため、高速な画像記録ができ、また光利用効率が高い。さらに、液晶パネルは比較的安価で作製できるため、低コストの画像形成装置になる。
【００１１】
図３は、プロジェクター部に、光変調工程として、光の反射方向を制御する複数のマイクロミラーを有するデジタル・マイクロミラー・デバイス（以下、ＤＭＤと略称する）を３枚用いた例である。光源３０１から照射された光は光インテグレーター３０２で均一化され、全反射プリズム３０５を通過して色分解／色結合プリズム３０６で青色光（Ｂ）、緑色光（Ｇ）、赤色光（Ｒ）に分光される。分光された光はそれぞれＤＭＤ３０７で変調された後、再び色分解／色結合プリズム３０６で合成され、投射レンズ３０８によって可逆記録媒体上に拡大投影される。光源３０１などの構成は図２に示す液晶パネルの場合と同じでよい。図３の構成例の場合、Ｒ、Ｇ、Ｂの光を同時に照射するため高速な画像記録ができ、また、光を偏光しなくてよいので光利用効率が非常に高い。
【００１２】
図２、３の構成例は光変調素子を３枚用いた場合を示したが、本発明の画像形成装置のもう１つの特徴として、光変調素子が１枚でも構成することができる。この場合は、カラーホイールなどの可動式の分光フィルターを用いて、光源を順次に分光し、光変調素子、投射レンズを通して順次に可逆記録媒体に照射すればよい。分光フィルターの切り換えと光変調素子の画像信号の切り換えを同期させれば、１枚でもカラー画像記録することができる。本構成では複数枚の光変調素子を用いる場合と比較して安価な画像形成装置ができる。図４は、プロジェクター部に、光変調工程として透過型の液晶パネルを１枚用いた例である。光源４０１から照射された光はカラーホイール４０２でＲ、Ｇ、Ｂの各々の光に切り換えられる。はじめにＢの光にした後、光インテグレーター４０３で均一化し、偏光素子４０４で偏光する。この偏光を液晶パネル４０６で変調した後、さらに偏光素子を通過させ、投射レンズによって可逆記録媒体上に拡大投影する。Ｂの光でイエロー発色化合物に対して画像記録をさせた後、カラーホイール４０２でＧの光に切り換え、同様に可逆記録媒体に画像記録をおこなう。さらにＲの光に切り換えて同様に可逆記録媒体に画像記録をおこなう。図４の構成例では透過型液晶パネルを用いたが、反射型液晶パネル、ＤＭＤなどを用いても同様に光照射することができる。
【００１３】
図２から図４に示したようなプロジェクター部を用いた可逆記録媒体の画像形成装置の構成例を図５に示す。給紙ユニット５０１から給紙ローラ５０２、搬送ローラ５０３によって搬送された可逆記録媒体５０６は、細管状の紫外光源５０４を通過することで全面発色する。全面発色した可逆記録媒体５０６をさらに搬送し、プロジェクター部５０５の下で停止させる。停止状態においてプロジェクター部５０５でＲ、Ｇ、Ｂの光を可逆記録媒体５０６全面に一括照射し、画像を形成する。
なお、図５の構成例ではプロジェクター部５０５から直接的に可逆記録媒体５０６へ光照射したが、光路上にミラーやレンズを置くことで光路長などを調整しても構わない。
【００１４】
また、本発明の画像形成装置は、フォトクロミック化合物を発色させる紫外光をプロジェクター部の光源から得ることもできる。プロジェクター部の光源として用いられるハロゲンランプ、メタルハライドランプなどは可視波長域とともに紫外波長域も発光している。従って、この紫外波長域の光をフォトクロミック化合物を発色させる光源として用いることで、画像形成装置内の光源が１つで済むことになり、小型化、低コスト化になる。
具体的な構成例を図６に示す。図６の構成例は図２で示した透過型の液晶パネルを３枚使用した構成例とほとんど同じであるが、光源６０１の隣に紫外波長域のみを反射するダイクロイックミラー６０２を配置したことが本構成の特徴である。ダイクロイックミラー６０２で反射された紫外光は、ミラー６０５などにより投射レンズ６１１に入射され、可逆記録媒体全面に照射される。可逆記録媒体全面が発色した後は紫外光照射を止める必要があるが、紫外光の光路上に可動式のシャッター６０６を設けておくことでＯＮ・ＯＦＦの切り換えを制御することができる。図６の構成例では光変調素子に透過型液晶パネルを使用したが、反射型液晶パネル、ＤＭＤを用いても全く同様に紫外光を照射することができる。また、図６の構成例では光変調素子を３枚使用した場合を示したが、図４に示したように光変調素子１枚を使用した場合でも全く同様である。さらに、カラーホイールと光変調素子１枚とを使用した場合では、カラーホイールをＲ、Ｇ、Ｂの光に分光するだけでなく紫外光も分光できるようにし、切り換えて光照射すれば、より簡単な構成で紫外光照射することができる。
【００１５】
また、本発明における画像形成装置は、プロジェクター部を備え、可逆記録媒体に対して画像を拡大投影して記録することを特徴とする。ここで拡大投影による画像記録の利点を以下に挙げる。
１つめは可逆記録媒体全面に一括して画像記録できる点である。可逆記録媒体あるいは光源を搬送しながら画像記録する必要がないため、色ズレなどが起こらず高品質の画像を得ることができる。また、可逆記録媒体全面に光照射するときに課題となる光源の照度の均一化が容易にできるのも拡大投影型の特徴である。２つめは可逆記録媒体表面に結像するようにレンズを調節することで、画像ボケがない高品質の記録画像を容易に得ることができる点である。
３つめは光変調素子を複数枚使用することにより、Ｒ、Ｇ、Ｂの光を同時に照射できるため、高速な画像記録ができる点である。光源の光利用効率が高いため記録エネルギーも大幅に減少する。
４つめは拡大率を制御することで照射面積を変えることができる点である。例えば可逆記録媒体の一部分のみに画像記録をおこなう場合、拡大率を小さくして光エネルギーを集中させれば高速な画像記録ができる。また、Ａ４、Ｂ５など給紙された可逆記録媒体のサイズによって拡大率を変えるようにすれば、種々の可逆記録媒体のサイズに対応できる。拡大率はズームレンズを備えることで容易に制御することができる。
【００１６】
本発明で用いられる可逆記録媒体としては、以下に記すような構成のものが適している。
支持基板は表面が白色であることが好ましいが用途に応じて着色していても構わない。また、支持基板は紙やフィルムなどの比較的薄い媒体が好ましいがこれに限定されない。
感光層には、紫外光照射により発色状態となり、可視光照射により消色状態になるフォトクロミック化合物が含まれる。フォトクロミック化合物には、発色状態が熱に安定であり光のみによって色変化を起こすＰ型材料と、発色状態が熱に不安定であり光だけでなく熱によっても色変化を起こすＴ型材料とがあるが、本発明ではＰ型材料を用いることが特に望ましい。Ｐ型材料の代表的なものとしてはフルギド系化合物、ジアリールエテン系化合物などがある。
【００１７】
発色状態における色はフォトクロミック化合物の種類によって様々であり、用途によって所望の材料を選択すればよい。特にフルカラー画像を記録したい場合は３原色であるイエロー、マゼンタ、シアンを発色する材料が重要である。
イエロー発色材料としては、例えば、「２−［１−（４−アセチル−２，５−ジメチル−３−フリル）エチリデン］−３−イソプロピリデンコハク酸無水物」、「２−［１−（５−メチル−２−フェニル−４−オキサゾリル）エチリデン］−３−イソプロピリデンコハク酸無水物」、「１，２−ビス（２−フェニル−４−トリフルオロメチルチアゾール）−３，３，４，４，５，５−ヘキサフルオロシクロペンテン」、「２，３−ジ（２−メチルベンゾチエニル）マレイン酸ジメチル」、「１，２−ビス（５−エトキシ−２−メチルチアゾ−ル）−３，３，４，４，５，５−ヘキサフルオロシクロペンテン」などが挙げられる。
また、マゼンタ発色材料としては、例えば、「２−［１−（２，５−ジメチル−１−フェニルピラゾリル）エチリデン］−３−イソプロピリデンコハク酸無水物」、「２−［１−（３−メトキシ−５−メチル−１−フェニル−４−ピラゾリル）エチリデン］−３−イソプロピリデンコハク酸無水物」、「１，２−ビス（３−（２−メチル−６−（２−（４−メトキシフェニル）エチニル）ベンゾチエニル））−３，３，４，４，５，５−ヘキサフルオロシクロペンテン」、「１，２−ビス（５−メチル−２−フェニルチアゾ−ル）−３，３，４，４，５，５−ヘキサフルオロシクロペンテン」、「１−（１，２−ジメチル−３−インドリル）−２−（２−メチル−３−ベンゾチエニル）−３，３，４，４，５，５−ヘキサフルオロシクロペンテン」などが挙げられる。
また、シアン発色材料としては、例えば、「２−［１−（１，２，５−トリメチル−３−ピロリル）エチリデン］−３−イソプロピリデンコハク酸無水物」、「２−［２，６−ジメチル−３，５−ビス（ｐ−ジメチルアミノスチリル）ベンジリデン］−３−イソプロピリデンコハク酸無水物」、「１−（５−メトキシ−１，２−ジメチル−３−インドリル）−２−（５−シアノ−２，４−ジメチル−３−チエニル）−３，３，４，４，５，５−ヘキサフルオロシクロペンテン」、「１−（５−メトキシ−１，２−ジメチル−３−インドリル）−２−（６−カルボキシル−２−メチル−３−ベンゾチエニル）−３，３，４，４，５，５−ヘキサフルオロシクロペンテン」，「１−（６−シアノ−２−メチル−３−ベンゾチエニル）−２−（５−メトキシ−１，２−ジメチル−３−インドリル）−３，３，４，４，５，５−ヘキサフルオロシクロペンテン」などが挙げられる。
感光層内のフォトクロミック化合物は、アクリル系樹脂、塩化ビニル樹脂、ポリエステル系樹脂、ポリアミド系樹脂、ポリオレフィン系樹脂あるいはウレタン樹脂等の樹脂に分散されていてもよいし、マイクロカプセル中に封入されていてもよい。また、必要に応じて感光層の表面に透明な保護膜を形成しても構わない。
【００１８】
本発明の画像形成装置は、コンピューターに接続することでプリンターとしても利用でき、またスキャナーユニットを付属させることで複写機にも応用できる。さらにファクシミリなどにも適用することができる。
本発明の画像形成装置による画像記録方法では、可逆記録媒体に以前の画像が残されていても書き換え記録ができるため、特に画像消去工程は必要ない。しかしながら、機密保持などのため使用後の記録画像を消去したい場合などは、画像形成装置に画像消去機能があれば有用である。
そこでさらに、本発明では、感光層内の全種類のフォトクロミック化合物を消色状態にするための光源を備える。フォトクロミック化合物は可視光により消色するため、例えば消去用の白色光光源などを装備しておけばよい。
【００１９】
【実施例】
（実施例１）
フォトクロミック化合物としては、フルギド系の化合物である２−［１−（１，２，５−トリメチル−３−ピロリル）エチリデン］−３−イソプロピリデンコハク酸無水物［以下ＰＣ１と略す]、２−［１−（２−シアノ−１，５−ジメチル−３−ピロリル）エチリデン］−３−イソプロピリデンコハク酸無水物［以下ＰＣ２と略す]、２−［１−（５−メチル−２−フェニル−４−オキサゾリル）エチリデン］−３−イソプロピリデンコハク酸無水物[以下ＰＣ３と略す]を用いた。ＰＣ１の吸収スペクトルを測定したところ、光照射前の吸収波長帯は３６０ｎｍであり、無色であった。また、高圧水銀灯の３６６ｎｍの輝線を照射したところ、極大吸収波長は６３４ｎｍとなり青紫色を示した。ＰＣ２の吸収スペクトルを測定したところ、光照射前の吸収波長帯は３４９ｎｍであり、無色であった。また、高圧水銀灯の３６６ｎｍの輝線を照射したところ、極大吸収波長は５６９ｎｍとなり赤紫色を示した。ＰＣ３の吸収スペクトルを測定したところ、光照射前の吸収波長帯は３３７ｎｍであり、無色であった。また、高圧水銀灯の３６６ｎｍの輝線を照射したところ、極大吸収波長は４６５ｎｍとなり黄色を示した。ＰＣ１、ＰＣ２、ＰＣ３のフルギド化合物それぞれ１０ｍｇをポリスチレン１００ｍｇとともにトルエン中に溶解させ、この順番で白色ポリエチレンテレフタレート基板（厚さ１８８μｍ）上にスピンコートし、積層型の可逆記録媒体を作成した。形成した感光層の厚みは約３５μｍであった。
この可逆記録媒体全面にブラックライト（波長３６５ｎｍ、照度１０ｍＷ／ｃｍ２）を照射したところ、各々のフォトクロミック化合物が発色し、黒色になった。
市販の透過型液晶プロジェクター（日立製作所、ＣＰ−Ｓ２２０Ｊ）を用いて、赤色、緑色、青色のストライプパターンを発色した可逆記録媒体に投影したところ、赤色パターン部は赤色、緑色パターン部は緑色、青色パターン部は青色に色変化した。
【００２０】
（実施例２）
実施例１で作成した可逆記録媒体に対して、ブラックライト（波長３６５ｎｍ、照度１０ｍＷ／ｃｍ２）を照射した。光変調素子にＤＭＤを用いた市販のプロジェクター（プラス株式会社、Ｕ３−８１０Ｚ）を用いて、赤色、緑色、青色のストライプパターンを可逆記録媒体に投影したところ、赤色パターン部は赤色、緑色パターン部は緑色、青色パターン部は青色に色変化した。
【００２１】
（実施例３）
市販の透過型液晶プロジェクター（日立製作所、ＣＰ−Ｓ２２０Ｊ）を改造し、ランプ光源の前に紫外光のみを選択的に反射するダイクロイックミラーを設置した。実施例１で作成した可逆記録媒体に対して、反射させた紫外光を照射したところ、各々のフォトクロミック化合物が発色し、黒色になった。
【００２２】
（実施例４）
実施例１で作成した可逆記録媒体に対して、ブラックライト（波長３６５ｎｍ、照度１０ｍＷ／ｃｍ２）を照射した。市販の透過型液晶プロジェクター（日立製作所、ＣＰ−Ｓ２２０Ｊ）のズーム機能を利用して実施例１の面積の１／４に縮小した画像を投影したところ、実施例１と比較して高速な色変化が見られた。
【００２３】
（実施例５）
実施例１、２、４で作成したカラー画像に対して白色蛍光灯を全面照射したところ、画像は消去され可逆記録媒体は白色になった。
【００２４】
【発明の効果】
以上説明したように、上記に記載の本発明によれば、拡大投影方式で感光層に光照射するため、色ズレ、画像ボケのない高品質の画像記録が可能であり、また、複数の波長域の光を同時に照射することができるため、高速かつ低エネルギーな画像記録が可能な画像形成装置を提供することができる。また、上記に記載の本発明によれば、光変調工程１枚でカラー記録ができるため、安価な画像形成装置を提供することができる。さらに、請求項１または２に記載の本発明によれば、照射用光源が１つでよいため、小型で安価な画像形成装置を提供することができる。さらに、請求項３に記載の本発明によれば、記録画像面積に応じて光エネルギーを集中させることができるため、高速かつ低エネルギーな画像記録が可能な画像形成装置を提供することができる。さらに、請求項４に記載の本発明によれば、照射面積を自由に変えることができるため、様々なサイズの可逆記録媒体に対応できる画像形成装置を提供することができる。さらに、請求項５に記載の本発明によれば、光変調工程の製造コストが安いため、安価な画像形成装置を提供することができる。さらに、請求項６に記載の本発明によれば、光利用効率が高いため、高速かつ低消費電力な画像形成装置を提供することができる。さらに、請求項７に記載の本発明によれば、画像一括消去用の光源を備えることで、必要に応じて記録画像を容易に消去することができる画像形成装置を提供することができる。
【図面の簡単な説明】
【図１】本発明の画像形成装置による画像形成方法の一例を示す図である。
【図２】プロジェクター部に液晶パネルを３枚用いた場合の構成例を示す図である。
【図３】プロジェクター部にデジタル・マイクロミラー・デバイス（ＤＭＤ）を３枚用いた場合の構成例を示す図である。
【図４】プロジェクター部に液晶パネルを１枚用いた場合の構成例を示す図である。
【図５】本発明の画像形成装置を示す概略構成図である。
【図６】紫外光をプロジェクター部の光源から得る場合の構成例を示す図である。
【符号の説明】
１０１    支持基板
１０２    第１感光層
１０３    第２感光層
１０４    第３感光層
１０５    プロジェクター部
２０１    光源
２０２    光インテグレーター
２０３    偏光素子
２０４    ミラー
２０５    ダイクロイックミラー
２０６    コンデンサレンズ
２０７    液晶パネル
２０８    クロスダイクロイックプリズム
２０９    投射レンズ
３０１    光源
３０２    光インテグレーター
３０３    コンデンサレンズ
３０４    ミラー
３０５    全反射プリズム
３０６    色分解／色結合プリズム
３０７    ＤＭＤ
３０８    投射レンズ
４０１    光源
４０２    カラーホイール
４０３    光インテグレーター
４０４    偏光素子
４０５    コンデンサレンズ
４０６    液晶パネル
４０７    投射レンズ
５０１    給紙カセット
５０２    給紙ローラ
５０３    搬送ローラ
５０４    紫外光源
５０５    プロジェクター部
５０６    可逆記録媒体
６０１ 光源
６０２ ダイクロイックミラー
６０３ 光インテグレーター
６０４ 偏光素子
６０５ ミラー
６０６ 可動式シャッター
６０７ ダイクロイックミラー
６０８ コンデンサレンズ
６０９ 液晶パネル
６１０ クロスダイクロイックプリズム
６１１ 投射レンズ
【図１】
0004172933.tif 000002
【図２】
0004172933.tif 000003
【図３】
0004172933.tif 000004
【図４】
0004172933.tif 000005
【図５】
0004172933.tif 000006
【図６】
0004172933.tif 000007